(57)【要約】【解決手段】  加熱手段を内蔵した加熱収容容器２内に、複数のワイシャツ成形機３を出し入れ可能に収容してなり、前記ワイシャツ成形機３が、ワイシャツ２１を起立状態で支える支柱６と、当該支柱６の両側部にリンク機構９により支柱６に対して側方に張り出し可能に設けられた展張部材１０とを有し、ワイシャツ成形機３を加熱収容容器２内に収容したときに前記リンク機構９を展張部材１０を側方に張り出させるように作動せしめる作動部材１６を設ける。【効果】  加熱収容容器の外における作業は簡単であり、複数のワイシャツ成形機にワイシャツを装着することができ、それらを加熱収容容器内において展張しながら乾燥するので、極めて効率よくワイシャツを仕上げ乾燥することができる。【選択図】          図１
2009118865.tif 000002
【特許請求の範囲】
【請求項１】
加熱手段を内蔵した加熱収容容器（２）内に、複数のワイシャツ成形機（３）を出し入れ可能に収容してなり、前記ワイシャツ成形機（３）が、ワイシャツ（２１）を起立状態で支える支柱（６）と、当該支柱（６）の両側部にリンク機構（９）により支柱（６）に対して側方に張り出し可能に設けられた展張部材（１０）とを有し、ワイシャツ成形機（３）を加熱収容容器（２）内に収容したときに前記リンク機構（９）を展張部材（１０）を側方に張り出させるように作動せしめる作動部材（１６）を設けたことを特徴とする、ワイシャツの仕上げ乾燥機
【請求項２】
前記加熱手段が、加熱収容容器（２）内に熱風を送入する熱風送風機であることを特徴とする、請求項１に記載のワイシャツの仕上げ乾燥機
【請求項３】
前記加熱手段が、前記複数のワイシャツ成形機（３）の間の位置に設けられた熱板（２３）であることを特徴とする、請求項１に記載のワイシャツの仕上げ乾燥機
【請求項４】
前記ワイシャツ成形機（３）の支柱（６）に、その表面から熱風を放出する手段を設けたことを特徴とする、請求項１に記載のワイシャツの仕上げ乾燥機
【請求項５】
前記支柱（６）の上端に、ハンガー支持部（８）を設けたことを特徴とする、請求項１に記載のワイシャツの仕上げ乾燥機
【請求項６】
前記作動部材（１６）が、前記リンク機構（９）の下端に設けられた、ばね手段（１４）を介して押し上げることにより展張部材（１０）を側方に張り出させるロッド（１５）と、加熱収容容器（２）の下部に設けられた前記ロッド（１０）を押し上げる凸片（１８）とよりなることを特徴とする、請求項１に記載のワイシャツの仕上げ乾燥機
【請求項７】
前記ワイシャツ成形機（３）の前面中央部に、それぞれワイシャツの前立部を支柱（６）との間に挟持する前立押さえ部材（２２）を設けたことを特徴とする、請求項１に記載のワイシャツの仕上げ乾燥機
【発明の詳細な説明】
【技術分野】
【０００１】
本発明はワイシャツの仕上げ乾燥機に関するものであって、特にクリーニング後のワイシャツのしわを伸ばして乾燥するための装置に関するものである。
【０００２】
なおこの明細書において「ワイシャツ」とは、本来のワイシャツに限らず、開襟シャツ、カラーシャツ、ブラウス、Ｔシャツなどの、ワイシャツに類似した薄手の衣類一般を指すものである。
【背景技術】
【０００３】
従来ワイシャツのしわを伸ばして乾燥するには、アイロンやプレス機を使用することが多かった。また特開２００３−１９９９９４号公報に示されるように、人体形の袋にワイシャツを被せ、前記袋を膨らませつつ加熱するものも知られている。
【０００４】
しかしながらこれらはいずれも、単一のワイシャツを仕上げ乾燥するためのものであり、大量のワイシャツを取り扱うクリーニング工場などにおいては、必ずしも作業効率が良いものとはいえなかった。
【０００５】
また、個々の装置にワイシャツのしわを伸ばした状態でセットしなければならないのであり、これらの仕上げ乾燥機を多数併設しても、さほど作業効率を向上させることはできない。
【特許文献１】特開２００３−１９９９９４号公報
【発明の開示】
【発明が解決しようとする課題】
【０００６】
本発明はかかる事情に鑑みなされたものであって、複数のワイシャツを同時にかつ効率よく仕上げ乾燥することのできる、ワイシャツ仕上げ乾燥機を提供することを目的とするものである。
【課題を解決するための手段】
【０００７】
而して本発明は、加熱手段を内蔵した加熱収容容器（２）内に、複数のワイシャツ成形機を出し入れ可能に収容してなり、前記ワイシャツ成形機が、ワイシャツを起立状態で支える支柱と、当該支柱の両側部にリンク機構により支柱に対して側方に張り出し可能に設けられた展張部材とを有し、ワイシャツ成形機を加熱収容容器内に収容したときに前記リンク機構を展張部材を側方に張り出させるように作動せしめる作動部材を設けたことを特徴とするものである。
【０００８】
本発明においては、前記加熱手段が、加熱収容容器内に熱風を送入する熱風送風機であることができる。また前記加熱手段を、前記複数のワイシャツ成形機の間の位置に設けられた熱板とすることもできる。また前記ワイシャツ成形機の支柱に、その表面から熱風を放出する手段を設けるのも好ましい。
【０００９】
また本発明においては、前記支柱の上端に、ハンガー支持部を設けて当該ハンガー支持部にハンガーを支持し、ワイシャツをハンガーにかけた状態で仕上げ乾燥することができるようにするのが好ましい。
【００１０】
また前記作動部材が、前記リンク機構の下端に設けられた、ばね手段を介して押し上げることにより展張部材を側方に張り出させるロッドと、加熱収容容器の下部に設けられた前記ロッドを押し上げる凸片とよりなるものとするのが好ましい。さらに前記ワイシャツ成形機の前面中央部に、それぞれワイシャツの前立部を支柱との間に挟持する前立押さえ部材を設けることが好ましい。
【発明の効果】
【００１１】
本発明によれば、加熱収容容器からワイシャツ成形機を引き出した状態で、当該ワイシャツ成形機に濡れた状態のワイシャツを被せ、この状態でワイシャツ成形機を加熱収容容器内に挿入すると、作動部材により展張部材が側方に拡がってワイシャツを内側から展張し、加熱収容容器内で加熱されて乾燥される。
【００１２】
従って、ワイシャツをワイシャツ成形機に被せるときには、さほど丁寧にしわを伸ばしながら被せる必要がなく、適当に被せれば加熱収容容器内において展張部材によりワイシャツが展張され、自動的にしわが伸ばされる。
【００１３】
そのため加熱収容容器の外における作業は簡単であり、複数のワイシャツ成形機にワイシャツを装着することができ、それらを加熱収容容器内において展張しながら乾燥するので、極めて効率よくワイシャツを仕上げ乾燥することができる。
【発明を実施するための最良の形態】
【００１４】
以下本発明を図面に基づいて説明する。図１及び図２は本発明のワイシャツ仕上げ乾燥機１を示すものであって、２は加熱収容容器であり、３は当該加熱収容容器２内にレール４に沿って出し入れ可能に設けられたワイシャツ成形機であり、加熱収容容器２に対して複数のワイシャツ成形機３が設けられている。
【００１５】
各ワイシャツ成形機３は図３に示すように、加熱収容容器２の下部に設けられたレール４に沿って移動する台５に支柱６が立設されており、当該支柱６の上端にはハンガー７を支持するハンガー支持部８が形成されている。
【００１６】
当該ハンガー支持部８はハンガー７の形式や形状に応じて、当該ハンガー７を係止する係止部であってもよく、またハンガー７を嵌合するする溝であってもよく、また単に支柱６の上端にハンガー７を引っ掛けるようになっているだけでもよい。
【００１７】
また支柱６の両側部には、リンク機構９を介して支柱６から側方に張り出し可能の展張部材１０が取り付けられている。リンク機構９はそれぞれ一対のリンクバー１１、１２がＸ字状に交差してその中央部で回動自在に軸支されており、リンクバー１１の基端は支柱６の下部に軸支され、リンクバー１２の基端は支柱６の上部に上下に摺動可能且つ回動可能に軸支されており、各リンクバー１１、１２の先端が展張部材１０の両端に軸支され、当該展張部材１０は支柱６と平行に上下に延びている。
【００１８】
そしてリンクバー１１の下端には操作バー１３が軸支されており、支柱６の左右のリンク機構９の操作バー１３の端末が支柱６の下部において互いに回動自在且つ支柱６に沿って上下に摺動可能に軸支されており、当該軸支部１７にはばね手段１４を介してロッド１５を取り付けた作動部材１６が形成されている。
【００１９】
而してこのリンク機構９は、ロッド１５を上方に押し上げることにより、操作バー１３の軸支部１７が上方に押し上げられ、操作バー１３が図３における鎖線で示すように回動して、リンクバー１１の下端を内方に引き寄せて上部を外方に張り出させ、このリンクバー１１とリンクバー１２とが協働して展張部材１０を支柱６に対して平行を維持しつつ側方に張り出させるのである。
【００２０】
そしてこのワイシャツ成形機３は、台５が前記レール４に沿って摺動して加熱収容容器２の前面開口部２４から加熱収容容器２に出し入れ可能に設けられ、ワイシャツ成形機３を加熱収容容器２から引き出した状態においては、リンク機構９はフリーの状態であり、伸縮自在の状態となっている。
【００２１】
またワイシャツ成形機３を加熱収容容器２内に収容したときには、ロッド１５がレール４の前面に設けられた凸片１８に乗り上げて、ばね手段１４を介して軸支部１７を押し上げ、リンクバー１１は支柱６との軸支部１９を支点として上部が外方に揺動し、リンクバー１２と協働して展張部材１０を外方に張り出させるようになっている。なお２０は加熱収容容器２の前面扉である。
【００２２】
而して本発明のワイシャツ仕上げ乾燥機１を使用するには、先ずワイシャツ成形機３を加熱収容容器２の前面開口部２４から前方に引き出し、支柱６の上端のハンガー支持部８にハンガー７を装着し、展張部材１０の外側からワイシャツ２１を着せ掛け、襟元を整えてハンガー７にかけ、前ボタン形式の場合にはボタンをかける。
【００２３】
このときリンク機構９はフリーの状態になっているので、展張部材１０がワイシャツ２１を着せ掛ける邪魔になることはなく、ワイシャツ２１の上部をハンガー７にかけて襟元を整えるだけで、あとは垂れ下がった状態で十分である。
【００２４】
また前ボタン形式のワイシャツ２１の場合には、その前ボタンをかけた後、その前ボタンの列を筒状織布６の前面中央に整列させ、支柱６の前面に設けられた前立押さえ部材２２により前立部を支柱６との間に挟持するのが好ましい。
【００２５】
この状態でワイシャツ成形機３をレール４に沿って移動させて加熱収容容器２内に収容する。このとき作動部材１６のロッド１５がレール４前面の凸片１８に当接して押し上げられ、ばね手段１４を介して軸支部１７を上動させる。
【００２６】
これにより操作バー１３を介してリンクバー１１の下端が内方に引かれ、リンクバー１１は軸支部１９を支点として回動して上端が外方に張り出し、リンクバー１２と協働して展張部材１０を支柱６と平行を維持したまま外方に張り出させる。そして当該展張部材１０はワイシャツ２１の両側部を内方から押し出し、ワイシャツ２１はしわが除去されてピンと張った状態となる。
【００２７】
加熱収容容器２に設けられた複数のワイシャツ成形機３について、このようにしてワイシャツ２１を装着して加熱収容容器２内に収容する。この状態で加熱収容容器２の前面扉２０を閉じ、加熱収容容器２内に設けられた加熱手段によりワイシャツ２１を加熱して仕上げ乾燥する。
【００２８】
加熱手段としては、加熱収容容器２内に熱風を送入する熱風送風機（図示せず）を使用することができ、また図２に示すように加熱収容容器２内のワイシャツ成形機３の間の位置に熱板２３を設け、当該熱板２３からの輻射熱によりワイシャツ２１を乾燥せしめることもできる。またこれらの加熱手段と併せて、前記支柱６の表面から熱風を放出せしめ、ワイシャツ２１の内側からも加熱乾燥せしめる手段を設けることも、好ましいことである。
【００２９】
ワイシャツ２１が十分に乾燥したならば、前面扉２０を開いて加熱収容容器２の前面開口部２４からワイシャツ成形機３を引き出す。これにより作動部材１６のロッド１５は凸片１８から外れるため、展張部材１０がワイシャツ２１を内側から展張する力は除去されるのでリンク機構９が収縮し、ワイシャツ２１をハンガー７と共にワイシャツ成形機３から取り外す。
【００３０】
ワイシャツ２１を取り外したあとのワイシャツ成形機３には新たにハンガー７及びワイシャツ２１を装着して加熱収容容器２内に収容することにより、繰り返してワイシャツ２１を仕上げ乾燥することができる。
【００３１】
本発明によれば、ワイシャツ成形機３にハンガー７及びワイシャツ２１を装着して加熱収容容器２内に収容することにより、作動部材１６が作動して展張部材１０によりワイシャツ２１をピンと張った状態となり、ここで加熱手段により加熱乾燥するので、仕上げの準備段階でワイシャツ２１のしわを伸ばしたり畳んだりする必要がなく、効率良く加熱収容容器２内に収容することができる。また加熱収容容器２に複数のワイシャツ成形機３を同時に収容してワイシャツ２１を仕上げ乾燥することができ、作業効率がきわめて良好である。
【００３２】
また本発明によれば、ワイシャツ２１はその両側部が展張部材１０により内側から展張されるので、ピンと張った状態の両側部に折り目が形成され、これをワイシャツ成形機３から取り外した状態で容易に畳むことができる。
【００３３】
またワイシャツ２１の前立部を前立押さえ部材２２で押さえて支柱６との間に挟持することにより、展張部材１０で展張したときに前立のボタンの列が乱れるのを防止すると共に、展張部材１０がワイシャツ２１の両側部の正しい位置で展張することができ、美しい仕上がりが得られる。従って前立押さえ部材２２は、本来のワイシャツのように前ボタン形式のシャツに限らず、Ｔシャツなどの前ボタンのない形式のシャツ類においても使用するのが好ましい。
【図面の簡単な説明】
【００３４】
【図１】本発明のワイシャツ仕上げ乾燥機の縦断面図
【図２】本発明のワイシャツ仕上げ乾燥機における加熱収容容器の正面から見た図
【図３】本発明におけるワイシャツ成形機の正面図
【符号の説明】
【００３５】
１  ワイシャツ仕上げ乾燥機
２  加熱収容容器
３  ワイシャツ成形機
６  支柱
７  ハンガー
８  ハンガー支持部
９  リンク機構
１０  展張部材
１４  ばね手段
１５  ロッド
１６  作動部材
１８  凸片
２１  ワイシャツ
２２  前立押さえ部材
２３  熱板
【図１】
2009118865.tif 000003
【図２】
2009118865.tif 000004
【図３】
2009118865.tif 000005